(57)【要約】【課題】透過部材を通して意匠部材の位置決め部が視認されないスイッチユニットを提供する。【解決手段】スイッチユニットは、押圧操作方向に移動し、前記押圧操作方向に向かう軸を基準にして回転可能な形状の意匠面と、前記意匠面から前記押圧操作方向に延在する筒状の周縁部に前記軸に対する回転を抑止するための位置決め部とを有し、前記支持部材よりも操作者側に設けられる意匠部材と、前記意匠面と前記周縁部とを覆うように形成され、前記意匠面に平行に設置され、前記意匠面を視認可能に透過させる透過面と、前記周縁部に対向する筒状面と、前記透過面と前記筒状面とを接続する箇所に前記押圧操作方向に向かうに連れて広くなるテーパ形状の面とを有する透過部材とを備える。【選択図】図１
2017142907.tif 000002
【特許請求の範囲】
【請求項１】
押圧操作方向に移動し、前記押圧操作方向に向かう軸を基準にして回転可能な形状の意匠面と、前記意匠面から前記押圧操作方向に延在する筒状の周縁部に前記軸に対する回転を抑止するための位置決め部とを有する意匠部材と、
前記意匠面と前記周縁部とを覆うように形成され、前記意匠面に平行に設置され、前記意匠面を視認可能に透過させる透過面と、前記周縁部に対向する筒状面と、前記透過面と前記筒状面とを接続する箇所に前記押圧操作方向に向かうに連れて広くなるテーパ形状の面とを有する透過部材と
を備えるスイッチユニット。
【請求項２】
前記透過部材は、
前記テーパ形状の面の法線方向が、前記位置決め部を視認できない角度になるように形成されている、
請求項１記載のスイッチユニット。
【請求項３】
前記透過部材は、
自透過部材を構成する材料の屈折率に基づいて前記テーパ形状の面を通して視認することができない範囲が決定され、
前記位置決め部が当該範囲内に設けられている、
請求項２記載のスイッチユニット。
【請求項４】
前記透過部材の筒状の側面における前記テーパ形状の面に接する位置において、少なくとも前記透過部材を構成する材料の臨界角外の光が前記位置決め部から到来する、
請求項２又は請求項３記載のスイッチユニット。
【請求項５】
前記透過部材は、
開口部を有するフレームの前記開口部に配置され、前記開口部から前記筒状の側面が露出しないように位置が決定されている、
請求項２から請求項４の何れか１項記載のスイッチユニット。
【請求項６】
前記透過部材は、
前記フレームに対し前記押圧操作方向に可動するように支持されており、
前記透過部材は、
可動部材が前記押圧操作方向に可動する範囲において、前記テーパ形状の面を通して前記位置決め部を視認できない位置に設けられている、
請求項５記載のスイッチユニット。
【請求項７】
前記開口部の端部にテーパ形状の面が設けられているフレーム
を備える請求項５又は請求項６記載のスイッチユニット。
【請求項８】
前記意匠部材は、略円形状を成す
請求項２から請求項７の何れか１項記載のスイッチユニット。
【請求項９】
前記意匠部材の意匠面には、意匠又は文字が描かれている、
請求項２から請求項８の何れか１項記載のスイッチユニット。
【発明の詳細な説明】
【技術分野】
【０００１】
本発明の実施形態は、スイッチユニットに関する。
【背景技術】
【０００２】
従来、押圧操作を受け付けるスイッチユニットとして、意匠や文字などを表示する意匠面を、その可動部材の端部に設けたものが知られている（特許文献１参照）。特許文献１の技術は、文字がスイッチユニットの可動部材に固定的に表示され、可動部材の回転に応じてその表示が傾くものである。
同種のスイッチユニットには、トップの面をクリア部材（透過部材）で形成し、クリア部材とは別体のプレート等に印刷等で文字を描いた意匠面を構成し、クリア部材から透視可能にするというニーズがある。
【先行技術文献】
【特許文献】
【０００３】
【特許文献１】特開２０１０−０４７０５１号公報
【発明の概要】
【発明が解決しようとする課題】
【０００４】
しかしながら、スイッチユニットの意匠面が略円形である場合、表示する文字等の天地を維持して表示するためには、略円形の意匠面が回転しないように位置決めをすることが必要とされる。位置決めするための固定手段を意匠面に設けた場合には、透過部材を介して意匠面に設けた固定手段が視認されることになる。
また、意匠面に設けた固定手段に代えて意匠面の周縁部に位置決め部を設ける場合に、周縁部に設けた位置決め部が透過部材の周近傍で視認されることになる。このように、透過部材を通して意匠部材の位置決め部が視認されないようにすることは困難であった。
本発明が解決しようとする課題は、透過部材を通して意匠部材の位置決め部が視認されないスイッチユニットを提供することである。
【課題を解決するための手段】
【０００５】
請求項１記載の発明は、押圧操作方向（Ｐ）に移動し、前記押圧操作方向に向かう軸を基準にして回転可能な形状の意匠面（１２Ｆ）と、前記意匠面から前記押圧操作方向に延在する筒状の周縁部に前記軸に対する回転を抑止するための位置決め部（１２Ｌ）とを有する意匠部材（１２）と、前記意匠面と前記周縁部とを覆うように形成され、前記意匠面に平行に設置され、前記意匠面を視認可能に透過させる透過面（１３Ｆ）と、前記周縁部に対向する筒状面と（１３Ｓ）、前記透過面と前記筒状面とを接続する箇所に前記押圧操作方向に向かうに連れて広くなるテーパ形状の面（１３Ｃ）とを有する透過部材（１３）とを備えるスイッチユニット（１）である。
【０００６】
請求項２記載の発明において前記透過部材は、前記テーパ形状の面の法線方向が、前記位置決め部を視認できない角度になるように形成されているものである。
【０００７】
請求項３記載の発明における前記透過部材は、自透過部材を構成する材料の屈折率に基づいて前記テーパ形状の面を通して視認することができない範囲が決定され、前記位置決め部が当該範囲内に設けられているものである。
【０００８】
請求項４記載の発明における前記透過部材の筒状の側面における前記テーパ形状の面に接する位置において、少なくとも前記透過部材を構成する材料の臨界角外の光が前記位置決め部から到来するものである。
【０００９】
請求項５記載の発明における前記透過部材は、開口部を有するフレームの前記開口部に配置され、前記開口部から前記筒状の側面が露出しないように位置が決定されているものである。
【００１０】
請求項６記載の発明における前記透過部材は、前記フレームに対し前記押圧操作方向に可動するように支持されており、前記透過部材は、可動部材が前記押圧操作方向に可動する範囲において、前記テーパ形状の面を通して前記位置決め部を視認できない位置に設けられているものである。
【００１１】
請求項７記載の発明における前記透過部材は、前記開口部の端部にテーパ形状の面が設けられているフレーム（２０）を備える。
【００１２】
請求項８記載の発明における前記意匠部材は、略円形状を成すものである。
【００１３】
請求項９記載の発明における前記意匠部材の意匠面には、意匠又は文字が描かれているものである。
【発明の効果】
【００１４】
請求項１から請求項９に記載の本発明の一態様によれば、透過部材を通して意匠部材の位置決め部が視認されないスイッチユニットを提供できる。
【図面の簡単な説明】
【００１５】
【図１】本実施形態のスイッチユニット１を示す斜視図である。
【図２】本実施形態のスイッチユニット１を示す断面図である。
【図３】本実施形態の意匠部材１２の一例を示す斜視図である。
【図４】スイッチユニット１の透過部材１３の各面に入射する光について説明するための図である。
【図５】スイッチユニット１の透過部材１３の各面から射出する光について説明するための図である。
【図６】スイッチユニット１の透過部材１３の各面から射出する光について説明するための図である。
【発明を実施するための形態】
【００１６】
以下、図面を参照し、本発明のスイッチユニットの実施形態について説明する。
【００１７】
図１は、本実施形態のスイッチユニット１を示す斜視図である。図２は、本実施形態のスイッチユニット１を示す断面図である。
【００１８】
以下の説明に示すスイッチユニット１は、操作者の操作により電気信号又は電力の供給を遮断する。例えば、車両を例に挙げて説明する。車両の操作パネルには、運転に係る操作を受け付ける各種スイッチユニットが設けられている。デザインの統一性を高めるために、同形状のスイッチユニットを複数配置することがある。複数のスイッチユニットにそれぞれ割り付けられる機能が異なり、各スイッチユニット１に表示する意匠と文字は、それぞれ割り付けられた機能に対応するものである。例えば、エンジンを始動させるスタートストップスイッチ（ＳＴＡＲＴ−ＳＴＯＰスイッチ）、ハザードランプスイッチ、オートマチックミッション制御の操作部、カーオーディオの操作部などは、スイッチユニット１の適用例の一つである。車両の操作権を有することを認証するための電子錠が設けられている場合に、スイッチユニット１は、その電子錠を解錠するための操作を受け付けるように構成してもよい。
【００１９】
スイッチユニット１は、可動部材１０と、フレーム２０とを備える。
【００２０】
フレーム２０は、開口部２０Ｈが設けられた面２０Ｆを有している。例えば、開口部２０Ｈの端部にテーパ形状の面が設けられている。開口部２０Ｈには、可動部材１０が配置される。面２０Ｆは、可動部材１０の周囲を覆うように設けられている。
【００２１】
可動部材１０は、フレーム２０に対し押圧操作方向Ｐに可動するように支持される。可動部材１０は、支持部材１１と、意匠部材１２と、透過部材１３とを備える。
【００２２】
支持部材１１は、意匠部材１２と透過部材１３とを支持して、操作者の操作に応じて押圧操作方向Ｐに移動する。
【００２３】
意匠部材１２は、押圧操作方向Ｐに向かう軸Ｌを基準にして回転可能な形状の意匠面１２Ｆと、意匠面１２Ｆから押圧操作方向Ｐに延在する筒状の周縁部１２Ｂとを有する。この意匠部材１２は、支持部材１１よりも操作者側に設けられる。
【００２４】
例えば、意匠部材１２は、略円形状のシート状に形成された意匠面１２Ｆを有し、その意匠面１２Ｆに文字が示されている。意匠部材１２は、他の部材に対する回転を抑止するために、意匠面１２Ｆと異なる位置に設けられた位置決め部１２Ｌを有する。位置決め部１２Ｌは、リブということもある。
【００２５】
図３は、本実施形態の意匠部材１２の一例を示す斜視図である。例えば、位置決め部１２Ｌは、支持部材１１の筒状の周縁部１２Ｂに設けられ、支持部材１１に設けられた溝に勘合するように配置される。位置決め部１２Ｌが支持部材１１に設けられた溝（不図示）に勘合することにより、意匠部材１２の支持部材１１に対する位置が定まる。
【００２６】
図２に戻り、透過部材１３は、意匠面１２Ｆと周縁部１２Ｂとを覆うように形成される。
透過部材１３は、透過面１３Ｆと、側面１３Ｓ（筒状面）と、テーパ形状の面１３Ｃ（以下、テーパ面１３Ｃという。）とを備える。透過面１３Ｆは、意匠面１１Ｆと周縁部１１１Ｂとを覆うように形成され、意匠面１１Ｆに平行に設置され、意匠面１１Ｆを視認可能に透過させる。側面１３Ｓは、周縁部１１Ｂに対向する。テーパ面１３Ｃは、透過面１３Ｆと側面１３Ｓとを接続する箇所に押圧操作方向Ｐに向かうに連れて広くなる。透過部材１３は、支持部材１１によって、フレーム２０に対し押圧操作方向Ｐに可動するように支持される。
【００２７】
透過部材１３は、テーパ面１３Ｃの法線方向Ｖが、操作者が位置決め部１２Ｌを視認できない角度になるように形成されている。例えば、押圧操作方向Ｐに沿う軸Ｌを含む断面において、テーパ面１３Ｃが線分として表される。その線分に直交する方向、すなわちテーパ面１３Ｃの法線方向Ｖは、その線分の範囲で同一の方向に向いており、その方向が位置決め部１２Ｌを視認できない角度に決定されている。
【００２８】
透過部材１３は、例えば均質の材料に形成されているものとする。この場合、テーパ面１３Ｃを通して視認することができない範囲が、自透過部材１３を構成する材料の屈折率ｎに基づいて決定されている。なお、透過部材１３を取り囲む空気の屈折率は１であり、透過部材１３を構成する材料の屈折率ｎの方が、空気の屈折率より大きな値をとる。
【００２９】
透過部材１３の形状は、フレーム２０の開口部２０Ｈの形状に合うように構成されている。例えば、透過部材１３は、押圧操作方向Ｐに延在する筒状の側面１３Ｓと内面１３Ｉを有している。側面１３Ｓと内面１３Ｉは、互いの軸が共通になるように形成されていてもよい。
【００３０】
なお、面２０Ｆに対する透過部材１３の位置は、筒状の側面１３Ｓが露出しないように決定されている。例えば、支持部材１１と透過部材１３の少なくとも何れかは、フレーム２０に対し押圧操作方向Ｐに可動するように支持されている。可動部材１０は、フレーム２０に対して稼働させる範囲が制限されていていてもよい。このように可動範囲を制限することにより、透過部材１３は、可動部材１０が押圧操作方向Ｐに可動する範囲において、テーパ面１３Ｃを通して位置決め部１２Ｌを視認できないように形成できる。
【００３１】
（位置決め部１２Ｌを操作者から視認できないようにする原理について）
図４から図６を参照して、位置決め部１２Ｌを操作者から視認できないようにする原理について説明する。図４は、スイッチユニット１の透過部材１３の各面に入射する光について説明するための図である。図５と図６は、スイッチユニット１の透過部材１３の各面から射出する光について説明するための図である。図５と図６は、透過部材１３から出力される光の進行方向が異なる場合を例示する。図５は、押圧操作方向Ｐに沿う方向に進行する光が出力される場合を示し、図６は、押圧操作方向Ｐに交差する方向Ｓに進行する光が出力される場合を示す。
【００３２】
（透過部材１３に透過面１３Ｆから入射する光の進路）
以下、図４を参照して、透過部材１３に透過面１３Ｆから入射する光の進路について説明する。説明を簡易にするために、透過部材１３の透過面１３Ｆと、透過面１３Ｆに対する背面１３Ｂは互いに平行であるとする。
まず、透過面１３Ｆに直角に入射した光ＩＬＡ１１は、光ＩＬＡ１２となって透過部材１３を横切るように直進して、光ＩＬＡ１３が背面１３Ｂから射出され意匠面１２Ｆに到達する。
【００３３】
透過面１３Ｆに所定の入射直角θ１で入射した光ＩＬＡ２１は、透過面１３Ｆで屈折して光ＩＬＡ２２となって透過部材１３を横切るように直進して、光ＩＬＡ２３が背面１３Ｂで屈折して意匠面１２Ｆに到達する。
【００３４】
なお、透過面１３Ｆから入射した一部の光は、背面１３Ｂに達することなく、透過面１３Ｆ等の各面における入射角が所定の条件を満たすまで、透過部材１３内への反射を繰り返すものが含まれる。このように透過部材１３内への反射する光の一部は、透過部材１３から出力されないものになる。
【００３５】
光の屈折は、スネルの法則として知られている式（１）に従う。入射元の屈折率をｎ１、進行先の屈折率をｎ２とする。媒体の成分からそれぞれの屈折率が決定され、入射角θ１が定まれば、同式（１）により、屈折角θ２が定まる。
【００３６】
ｎ１ｘｓｉｎθ１＝ｎ２ｘｓｉｎθ２      ・・・（１）
【００３７】
外部から透過部材１３に入光する場合、ｎ１は１に、ｎ２は透過部材１３の材料の種別に応じて定まる。例えば、透過性を有する樹脂の屈折率ｎ２は、アクリル樹脂（約１．５）、ポリカーボネイト（１．５９）等の値をとる。以下の説明では、１．５を参考値として用いる。透過部材１３の材質は上記に限らず、透明性を有するものであれば他のものでもよい。
【００３８】
また、屈折率が大きい媒体側から小さい媒体側に光が向かう場合に全反射が起きる。つまり、透過部材１３から外部に向かう場合に発生することがある。その際、最も小さな入射角のことを臨界角θｃという。臨界角θｃは、式（２）により算出できる。
【００３９】
θｃ（ｒａｄ）＝ａｒｃｓｉｎ（ｎ２／ｎ１）、ただしｎ１＜ｎ２      ・・・（２）
【００４０】
なお、ｎ１≧ｎ２の場合には、全反射が起こらないので、臨界角を持たない。本実施形態の場合、透過部材１３に入射する際には臨界角θｃをもたず、透過部材１３から外部に進行する際には臨界角θｃを持つ。つまり、透過部材１３内を進行する光が、透過部材１３の各面で屈折して外部に進行する場合と、同面において全反射する場合との違いは、透過部材１３の内部から各面に入射する場合の入射角θ１の大きさにより決定され、入射角θ１が臨界角θｃを超える場合に全反射が生じる。
【００４１】
なお、透過部材１３を出て意匠面１２Ｆに到達した光は、例えば、意匠面１２Ｆで乱反射して各方向に散乱する光となる。意匠面１２Ｆにおいて散乱した光は、改めて透過部材１３の背面１３Ｂから入射することから、透過部材１３の各面に達した段階で全反射することがある。
【００４２】
（透過部材１３に透過面１３Ｆから入射する光の進路）
次に、透過部材１３にテーパ面１３Ｃから入射する光の進路について説明する。
前述の光ＩＬＡ１１と同じ方向、つまり、透過面１３Ｆに対して直角方向から到来する光ＩＬＢ１１は、テーパ面１３Ｃに斜めに入射して、テーパ面１３Ｃで屈折して光ＩＬＢ１２又は光ＩＬＢ２２となって、透過部材１３内を進行する。
【００４３】
例えば、光ＩＬＢ１２は、背面１３Ｂで屈折して、光ＩＬＢ１３が意匠面１２Ｆに到達する。一方、光ＩＬＢ２２は、内面１３Ｉで全反射して、透過部材１３内を進行する。
【００４４】
例えば、透過部材１３の側面１３Ｓと内面１３Ｉに挟まれた筒部の透過面１３Ｆ側の端部に対する側の端部は、透過部材１３内部を透過面１３Ｆ側から進行してきた光をその進行方向と逆の方向に折り返す。このように構成した場合には、透過部材１３内部を進行してきた光が透過面１３Ｆ側に向かって戻る。
【００４５】
或いは、同端部が、透過部材１３内部を進行してきた光を外部に出力する。このように構成した場合には、透過部材１３内部を進行してきた光が透過部材１３からその外部に出力される。
本実施形態の以下の説明では、上記の前者を例示して説明する。
【００４６】
（位置決め部１２Ｌに到達する光）
透過部材１３に入射する光が自然光である場合には、その光が到来する方向は定まらない。それぞれの方向から透過部材１３に入射した光は、透過部材１３内を進み、透過部材１３の各面で全反射するか、或いは、透過部材１３の各面からその外部に漏れ出す。例えば、上記の背面１３Ｂから意匠面１２Ｆに漏れ出た光と同様に、透過部材１３の内面１３Ｉから透過部材１３の外部に漏れ出す光も上記に含まれる。内面１３Ｉから漏れ出した光が、位置決め部１２Ｌを含む意匠部材１２と支持部材１１に到達する。
【００４７】
（位置決め部１２Ｌからの反射光）
位置決め部１２Ｌと支持部材１１に到達した光は、例えば、図５に示すように位置決め部１２Ｌで乱反射して各方向に散乱する。その散乱光は、内面１３Ｉから透過部材１３に再び入射する。乱反射による散乱光は、その進行方向により光度が異なる。例えば、内面１３Ｉに対する入射角θ１が小さいほど光度が大きく、入射角θ１が大きいほど光度が小さくなる。例えば、光度が比較的大きな光は、入射角θ１が小さく、内面１３Ｉと側面１３Ｓとを透過して、透過部材１３の外部に射出される。
【００４８】
一方で、光度が比較的小さな光の一部は、側面１３Ｓにおける入射角θ１が臨界角θｃを超えると側面１３Ｓで全反射して、その光は透過部材１３の内部に留まる。
【００４９】
さらに、透過部材１３の内部に留まった光度が比較的小さな光の一部は、テーパ面１３Ｃに到達する。テーパ面１３Ｃに到達した光のテーパ面１３Ｃに対する入射角θ１が臨界角θｃ以内であれば、テーパ面１３Ｃにおける屈折を伴ってその光が透過されて、透過部材１３の外部に射出される。一方、テーパ面１３Ｃに到達した光のテーパ面１３Ｃに対する入射角θ１が臨界角θｃを超えると、その光がテーパ面１３Ｃで全反射されて、透過部材１３の内部に留まる。
【００５０】
（テーパ面１３Ｃを通して透過部材１３の外部に出力される光）
以上を纏めると、テーパ面１３Ｃを通して透過部材１３の外部に出力される光には、下記の成分が含まれる。
【００５１】
（成分１）意匠面１２Ｆからの反射光ＯＬＡ１。
（成分２）透過部材１３の各面で全反射を繰り返した反射光ＯＬＡ２。
（成分３）意匠部材１２の周縁部からの反射光ＯＬＡ３。
（成分４）位置決め部１２Ｌと支持部材１１からの反射光ＯＬＡ４。
【００５２】
なお、テーパ面１３Ｃを通して透過部材１３の外部に出力される光は、上記の成分を併せたものとなり、その光度は、テーパ面１３Ｃ内の位置と、光りの進行方向とによりそれらの成分の比率が異なる。
【００５３】
（テーパ面１３Ｃから押圧操作方向Ｐに沿う方向に出力される光）
テーパ面１３Ｃのうち、透過面１３Ｆに比較的近い領域１Ａと、フレーム２０に比較的近い領域１Ｂの２つの領域に分ける。各領域から、押圧操作方向Ｐに出力される成分は下記のようになる。反射光ＯＬＢ１、ＯＬＢ２、ＯＬＢ３、及びＯＬＢ４は、前述の反射光ＯＬＡ１、ＯＬＡ２、ＯＬＡ３、及びＯＬＡ４にそれぞれ対応する。
【００５４】
領域１Ａ：主に（成分１）。（成分１）に加え、（成分２）と（成分３）と（成分４）を含む。
ただし、（成分１）の光度に対し、（成分３）と（成分４）の光度は低い。
【００５５】
領域１Ｂ：主に（成分２）。（成分２）に加え、（成分１）と（成分３）と（成分４）を含む。
ただし、（成分２）の光度に対し、（成分３）と（成分４）の光度は低い。
なお、側面１３Ｓのテーパ面１３Ｃに接する位置、すなわち側面１３Ｓにおける領域１Ｂ近傍において、少なくとも透過部材１３を構成する材料の臨界角θｃ外の光が位置決め部１２Ｌから到来する。
【００５６】
上記のとおり、領域１Ａにおける（成分１）の光度に対する（成分４）の光度の比率は低くなり、領域１Ｂにおける（成分２）の光度に対する（成分４）の光度の比率は低くなる。つまり、領域１Ａと領域１Ｂにおいて、（成分４）の光、つまり、位置決め部１２Ｌからの反射光を識別するだけの光が到達せず、操作者は、透過部材１３を通して位置決め部１２Ｌを認知することができない。
【００５７】
（テーパ面１３Ｃから押圧操作方向Ｐと交差する方向Ｓに出力される光）
図６に示すように、テーパ面１３Ｃのうち、透過面１３Ｆに比較的近い領域２Ａと、フレーム２０に比較的近い領域２Ｂと、領域２Ａと領域２Ｂの間に領域２Ｃの3つの領域に分ける。各領域から、押圧操作方向Ｐに交差する方向Ｓに出力される成分は下記のようになる。
【００５８】
領域２Ａ：主に（成分１）。（成分１）に加え、（成分２）と（成分３）と（成分４）を含む。
ただし、（成分１）の光度に対し、（成分３）と（成分４）の光度は低い。
【００５９】
領域２Ｂ：主に（成分４）。位置決め部１２Ｌからの光が含まれる比率が高い。
領域２Ｃ：主に（成分３）。意匠部材１２の周縁部からの光が含まれる比率が高い。ただし、（成分３）の光度に対し、（成分４）の光度は低い。
【００６０】
上記のとおり、領域２Ａにおける（成分１）の光度に対する（成分４）の光度の比率は低くなり、領域２Ｃにおける（成分３）の光度に対する（成分４）の光度の比率は低くなる。領域２Ｂについては、主たる光度は、（成分４）の光によるものである。操作者が、方向Ｓから直接テーパ面１３Ｃの領域２Ｃを見た場合には、位置決め部１２Ｌが視認されることになる。
【００６１】
そこで、上記の（成分４）の光ＯＬＢ４の経路を遮る位置にフレーム２０を配置する。これにより、操作者が、テーパ面１３Ｃの領域２Ｃを、方向Ｓから見ることができなくなる。これにより、操作者が方向Ｓからテーパ面１３Ｃを見た場合においても、透過部材１３を通して位置決め部１２Ｌからの光を認知することができず、位置決め部１２Ｌが見えてしまうことがない。
【００６２】
また、透過部材１３が押圧操作方向Ｐに可動する範囲において、テーパ面１３Ｃを通して位置決め部１２Ｌを視認できない位置に、透過部材１３を設けることにより、スイッチユニット１を操作する際にも、位置決め部１２Ｌが視認されることが無い。
【００６３】
上記の実施形態によれば、スイッチユニット１は、押圧操作方向Ｐに移動し、押圧操作方向Ｐに向かう軸を基準にして回転可能な形状の意匠面１２Ｆと、意匠面１２Ｆから押圧操作方向Ｐに延在する筒状の周縁部に軸に対する回転を抑止するための位置決め部１２Ｌとを有し、支持部材１１よりも操作者側に設けられる意匠部材１２と、意匠面１１Ｆと周縁部１１Ｂとを覆うように形成され、意匠面１１Ｆに平行に設置され、意匠面１１Ｆを視認可能に透過させる透過面１３Ｆと、周縁部１１Ｂに対向する側面１３Ｓと、透過面１３Ｆと側面１３Ｓとを接続する箇所に押圧操作方向Ｐに向かうに連れて広くなるテーパ面１３Ｃとを有する透過部材１３とを備える。
【００６４】
このようにスイッチユニット１には、位置決め部１２Ｌを認知可能な光度で、位置決め部１２Ｌからの光を出力しない方向がある。このようなスイッチユニット１であれば、操作者がその方向からテーパ面１３Ｃを見ても、位置決め部１２Ｌを視認することができない。これにより、透過部材１３を通して意匠部材１２の位置決め部１２Ｌが視認されないスイッチユニット１を提供することができる。
【００６５】
また、透過部材１３は、テーパ面１３Ｃの法線方向Ｖが、位置決め部１２Ｌを視認できない角度になるように形成されている。上記の例では、押圧操作方向Ｐに対し約４５°にした場合を例示したが、これに限らず、上記の条件を満たす範囲でテーパ面１３Ｃの法線方向Ｖを決定してもよい。
【００６６】
また、透過部材１３は、自透過部材１３を構成する材料の屈折率に基づいてテーパ形状の面を通して視認することができない範囲が決定される。位置決め部１２Ｌは、その範囲内に設けるものとする。
【００６７】
また、透過部材１３は、押圧操作方向Ｐに延在する筒状の側面１３Ｓを有し、側面１３Ｓにおけるテーパ面１３Ｃに接する位置において、少なくとも透過部材１３を構成する材料により定まる臨界角θｃより大きな入射角θ１の光が位置決め部１２Ｌから到来するようにした。これにより、テーパ面１３Ｃに位置決め部１２Ｌから到来する到来する光の光度を低減することができる。
【００６８】
また、透過部材１３は、開口部２０Ｈから側面１３Ｓが露出しないように延伸方向の位置が決定されており、側面１３Ｓから漏れる光をフレーム２０によって遮蔽することができる。
【００６９】
また、透過部材１３は、フレーム２０に対し押圧操作方向Ｐに可動するように支持されておいる。透過部材１３は、可動部材１０が押圧操作方向Ｐに可動する範囲において、テーパ面１３Ｃを通して位置決め部１２Ｌを視認できない位置に設けられているとよい。
【００７０】
（実施形態の変形例）
実施形態の変形例について説明する。実施形態では、透過部材１３内部を透過面１３Ｆ側から透過面１３Ｆに対する端部側に向けて進行してきた光を、上記の端部がその進行方向と逆の方向に折り返すものとして説明したが、本変形例では、上記の端部が外部に出力する。以下、この相違点を中心に説明する。
【００７１】
（テーパ面１３Ｃを通して透過部材１３の外部に出力される光）
本変形例において、テーパ面１３Ｃを通して透過部材１３の外部に出力される光には、下記の成分が含まれる。
【００７２】
（成分１）から（成分４）が含まれるが、（成分２）については、透過部材１３の各面で全反射を繰り返した反射光のうち、上記の端部で反射する光が含まれない。
【００７３】
（テーパ面１３Ｃから押圧操作方向Ｐに沿う方向に出力される光）
図５に示すようにテーパ面１３Ｃのうち、透過面１３Ｆに比較的近い領域１Ａと、フレーム２０に比較的近い領域１Ｂの２つの領域に分ける。各領域から、押圧操作方向Ｐに出力される成分は下記のようになる。
【００７４】
領域１Ａ：主に（成分１）。（成分１）に加え、（成分３）と（成分４）を含む。ただし、（成分１）の光度に対し、（成分３）と（成分４）の光度は低い。
【００７５】
領域１Ｂ：（成分１）と（成分３）と（成分４）を含むが、何れの成分も十分な光度が得られない。
【００７６】
上記のとおり、領域１Ａにおける（成分１）の光度に対する（成分４）の光度の比率は低くなる。つまり、領域１Ａにおいて、（成分４）、特に位置決め部１２Ｌからの反射光の有無を判定することができない。
【００７７】
一方、領域１Ｂから出力される光の光度は所望の光度を得ることができず、位置決め部１２Ｌからの反射光の有無を判定することができない。
【００７８】
（テーパ面１３Ｃから押圧操作方向Ｐと交差する方向Ｓに出力される光）
図６に示すようにテーパ面１３Ｃのうち、透過面１３Ｆに比較的近い領域２Ａと、フレーム２０に比較的近い領域２Ｂと、領域２Ａと領域２Ｂの間に領域２Ｃの3つの領域に分ける。各領域から、押圧操作方向Ｐに交差する方向Ｓに出力される成分は、領域２Ａについて、上記の領域１Ａと同様の傾向を示す。領域２Ｂと領域２Ｃとについては、実施形態の場合と同様である。
上記のとおり、操作者が方向Ｓからテーパ面１３Ｃを見た場合においても、透過部材１３を通して位置決め部１２Ｌからの光を認知することができない。
【００７９】
このように、上記の変形例によれば、実施形態と同様の効果を得ることができる。
【００８０】
以上、本発明を実施するための形態について実施形態を用いて説明したが、本発明はこうした実施形態などに限定されるものではなく、本発明の要旨を逸脱しない範囲内において種々の変形及び置換を加えることができる。
【符号の説明】
【００８１】
１…スイッチユニット、１０…可動部材、１１…支持部材、１２…意匠部材、１３…透過部材、２０…フレーム
【図１】
2017142907.tif 000003
【図２】
2017142907.tif 000004
【図３】
2017142907.tif 000005
【図４】
2017142907.tif 000006
【図５】
2017142907.tif 000007
【図６】
2017142907.tif 000008